(57)【要約】【課題】迅速に組み合わせることができる構造を有し、かつ、回収後に玩具として用いたり環境を汚染しない建材として用いることができる容器ボトルを提供する。【解決手段】容器ボトル１０は、中空状筒体であり、上端にねじ部１１１が形成された瓶口１１と、突出した２つの位置決め部１２とを有する。ねじ孔２１を有するダブテールホゾ状のボトル蓋が瓶口１１に螺合され、容器ボトル１０は、複数の交叉状のダブテール溝１６が前部に形成され、２つのダブテールホゾ１４が後部に突設され、ダブテールホゾ１５が左側に突設され、ダブテール溝１６が右側に凹設される。容器ボトル１０には、複数のねじ孔１７が形成される。ねじ孔１７内には、リードスクリュー３０が螺着される。リードスクリュー３０は、前端にダブテールホゾ３１が設けられ、後端にダブテール溝３２が形成される。【選択図】図１
0003201653.tif 000002
【実用新案登録請求の範囲】
【請求項１】
容器ボトルであって、
前記容器ボトルは、中空状筒体であり、上端にねじ部が形成された瓶口と、突出した２つの位置決め部と、を有し、ねじ孔を有するダブテールホゾ状のボトル蓋が前記瓶口に螺合され、前記容器ボトルは、複数の交叉状のダブテール溝が前部に形成され、２つのダブテールホゾが後部に突設され、前記ダブテールホゾが左側に突設され、前記ダブテール溝が右側に凹設され、前記容器ボトルには、複数のねじ孔が形成され、前記ねじ孔内には、リードスクリューが螺着され、前記リードスクリューは、前端に前記ダブテールホゾが設けられ、後端に前記ダブテール溝が形成され、前記容器ボトルの底端には、前記ボトル蓋と同じ形状を有する前記ダブテール溝が凹設され、底端両側には２つの位置決め溝が凹設された構造を有し、互いに嵌合することにより組み合せ可能な構造を有することを特徴とする容器ボトル。
【考案の詳細な説明】
【技術分野】
【０００１】
本考案は、容器ボトルに関するものであり、さらに詳しくは、迅速に組み合わせることができる構造を有し、かつ、回収後に玩具として用いたり環境を汚染しない建材として用いることができる容器ボトルに関するものである。
【背景技術】
【０００２】
炎天下の夏など非常に暑いときには、冷たい飲料を購入するが、飲料を充填する容器ボトルの大部分は、容器ボトルの外観の美感等の向上だけが追求され、容器ボトル自体は特別な機能を何ら備えたものではない。従来、容器ボトルの大部分はポリエチレン材料からなり、飲み物を飲み終えた後に容器ボトルを廃棄するため、廃棄に伴なう環境汚染及び回収に関する問題が指摘されてきた。
【考案の概要】
【考案が解決しようとする課題】
【０００３】
従って、本考案の主な課題は、迅速に組み合わせることができる構造を有し、かつ、回収後に玩具として用いたり環境を汚染しない建材として用いることができる容器ボトルを提供することにある。
【課題を解決するための手段】
【０００４】
そこで、上記課題を解決するために、本考案者は、鋭意検討を重ねた結果、単一の容器ボトルを他の容器ボトルと組合せ可能な特定の形状、構造とすることにより、前記課題を解決できることに着目し、かかる知見に基いて本考案に想到した。
かくして、本考案によれば、容器ボトルであって、
前記容器ボトルは、中空状筒体であり、上端にねじ部が形成された瓶口と、突出した２つの位置決め部と、を有し、ねじ孔を有するダブテールホゾ状のボトル蓋が前記瓶口に螺合され、前記容器ボトルは、複数の交叉状のダブテール溝が前部に形成され、２つのダブテールホゾが後部に突設され、前記ダブテールホゾが左側に突設され、前記ダブテール溝が右側に凹設され、前記容器ボトルには、複数のねじ孔が形成され、前記ねじ孔内には、リードスクリューが螺着され、前記リードスクリューは、前端に前記ダブテールホゾが設けられ、後端に前記ダブテール溝が形成され、前記容器ボトルの底端には、前記ボトル蓋と同じ形状を有する前記ダブテール溝が凹設され、底端両側には２つの位置決め溝が凹設された構造を有し、互いに嵌合することにより組み合せ可能な構造を有することを特徴とする容器ボトルが提供される。
【考案の効果】
【０００５】
本考案の容器ボトルは、前記の通りの構造を有し、迅速に組み合わせることが可能であり、かつ、回収後に玩具として用いたり環境を汚染しない建材として用いたりすることができる。
【図面の簡単な説明】
【０００６】
【図１】図１は、本考案の一実施形態に係る容器ボトルを示す正面斜視図である。
【図２】図２は、本考案の一実施形態に係る容器ボトルを示す背面斜視図である。
【図３】図３は、本考案の一実施形態に係る容器ボトルを示す組立図（１）である。
【図４】図４は、本考案の一実施形態に係る容器ボトルを示す組立図（２）である。
【図５】図５は、本考案の一実施形態に係る容器ボトルを示す組立図（３）である。
【図６】図６は、本考案の一実施形態に係る容器ボトルを示す組立図（４）である。
【図７】図７は、本考案の一実施形態に係る容器ボトルを示す組立図（５）である。
【図８】図８は、本考案の一実施形態に係る容器ボトルを示す組立図（６）である。
【図９】図９は、本考案の他の実施形態に係る容器ボトルを示す斜視図である。
【考案を実施するための形態】
【０００７】
以下、本考案の実施形態について図面に基づいて説明する。なお、これらの図面によって本考案が限定されるものではない。
【０００８】
まず、図１及び図２を参照する。図１及び図２に示すように、本考案の一実施形態に係る構造を有する容器ボトル１０を含む。容器ボトル１０は、中空状筒体であり、上端にねじ部１１１が形成された瓶口１１と、突出した２つの位置決め部１２と、を有する。ねじ孔２１を有するダブテールホゾ状のボトル蓋２０は、瓶口１１に螺合される。容器ボトル１０は、前部に複数の交叉状のダブテール溝１３が形成され、後部に２つのダブテールホゾ１４が突設され、左側にダブテールホゾ１５が突設され、右側にダブテール溝１６が凹設されている。容器ボトル１０には、複数のねじ孔１７が形成されている。ねじ孔１７内には、リードスクリュー３０が螺着される。リードスクリュー３０は、前端にダブテールホゾ３１が設けられ、後端にダブテール溝３２が形成される。容器ボトル１０は、底端にボトル蓋２０と同じ形状を有するダブテール溝１８が凹設され、底端両側に２つの位置決め溝１９が凹設される。
【０００９】
容器ボトル１０を壁状に組立てる際（図３参照）、上端に隣接した容器ボトル１０の底端のダブテール溝１８及び位置決め溝１９に、容器ボトル１０のダブテール溝のボトル蓋２０及び位置決め部１２を嵌入し、直立させて連結させる。横方向の連結を行うときは、容器ボトル１０の一側辺の凸状ダブテールホゾ１５を、隣接した容器ボトル１０のダブテール溝１６内に嵌入させるだけで、横方向の連結を完成させることができる（図４参照）。このような方式により、本実施形態の容器ボトル１０を連続的に組み合わせて壁体を形成することができる。
【００１０】
容器ボトル１０の厚さを大きくする際は、容器ボトル１０後側のダブテールホゾ１４を別の容器ボトル１０前側の縦方向ダブテール溝１３に嵌入させるだけで、容器ボトル１０を連結した後の厚さが大きくなり（図５参照）、容器ボトル１０を９０度回転させて後側のダブテールホゾ１４を別の容器ボトル１０の前側横方向のダブテール溝１３に嵌入させると、２つの容器ボトル１０を交差させることができる（図６参照）。
【００１１】
連結した容器ボトル１０間の連結をより強固にするために（図７参照）、別の容器ボトル１０を２つの容器ボトル１０間に掛け渡し、各容器ボトル１０のねじ孔１７内からリードスクリュー３０を取り出し、リードスクリュー３０のダブテールホゾ３１を他のリードスクリュー３０のダブテール溝３２に嵌入し、必要に応じてリードスクリュー３０の長さを延ばし、互いに積層した容器ボトル１０の各ねじ孔１７内に連結したリードスクリュー３０を螺入し、互いに積層した容器ボトル１０間のねじ孔１７に連結されたリードスクリュー３０を螺着すると（図８参照）、各容器ボトル１０間の構造強度を高めることができる。
【００１２】
図９を参照する。図９に示すように、本考案の他の実施形態に係る構造を有する容器ボトルとしては、消費者のニーズに応じて、大きさの異なる容器ボトル１０を製作することができる。
【符号の説明】
【００１３】
１０  容器ボトル
１１  瓶口
１２  位置決め部
１３  ダブテール溝
１４  ダブテールホゾ
１５  ダブテールホゾ
１６  ダブテール溝
１７  ねじ孔
１８  ダブテール溝
１９  位置決め溝
２０  ボトル蓋
２１  ねじ孔
３０  リードスクリュー
３１  ダブテールホゾ
３２  ダブテール溝
１１１  ねじ部
【図１】
0003201653.tif 000003
【図２】
0003201653.tif 000004
【図３】
0003201653.tif 000005
【図４】
0003201653.tif 000006
【図５】
0003201653.tif 000007
【図６】
0003201653.tif 000008
【図７】
0003201653.tif 000009
【図８】
0003201653.tif 000010
【図９】
0003201653.tif 000011
【手続補正書】
【提出日】平成27年10月27日(2015.10.27)
【手続補正１】
【補正対象書類名】実用新案登録請求の範囲
【補正対象項目名】全文
【補正方法】変更
【補正の内容】
【実用新案登録請求の範囲】
【請求項１】
容器ボトルであって、
前記容器ボトルは、中空状筒体であり、上端にねじ部が形成された瓶口と、突出した２つの位置決め部と、を有し、ねじ孔を有するダブテールホゾ状のボトル蓋が前記瓶口に螺合され、前記容器ボトルは、複数の交叉状のダブテール溝が前部に形成され、２つのダブテールホゾが後部に突設され、ダブテールホゾが左側に突設され、ダブテール溝が右側に凹設され、前記容器ボトルには、複数のねじ孔が形成され、前記ねじ孔内には、リードスクリューが螺着され、前記リードスクリューは、前端にダブテールホゾが設けられ、後端にダブテール溝が形成され、前記容器ボトルの底端には、前記ボトル蓋と同じ形状を有するダブテール溝が凹設され、底端両側には２つの位置決め溝が凹設された構造を有し、互いに嵌合することにより組み合せ可能な構造を有することを特徴とする容器ボトル。
【手続補正２】
【補正対象書類名】明細書
【補正対象項目名】０００４
【補正方法】変更
【補正の内容】
【０００４】
そこで、上記課題を解決するために、本考案者は、鋭意検討を重ねた結果、単一の容器ボトルを他の容器ボトルと組合せ可能な特定の形状、構造とすることにより、前記課題を解決できることに着目し、かかる知見に基いて本考案に想到した。
かくして、本考案によれば、容器ボトルであって、
前記容器ボトルは、中空状筒体であり、上端にねじ部が形成された瓶口と、突出した２つの位置決め部と、を有し、ねじ孔を有するダブテールホゾ状のボトル蓋が前記瓶口に螺合され、前記容器ボトルは、複数の交叉状のダブテール溝が前部に形成され、２つのダブテールホゾが後部に突設され、ダブテールホゾが左側に突設され、ダブテール溝が右側に凹設され、前記容器ボトルには、複数のねじ孔が形成され、前記ねじ孔内には、リードスクリューが螺着され、前記リードスクリューは、前端にダブテールホゾが設けられ、後端にダブテール溝が形成され、前記容器ボトルの底端には、前記ボトル蓋と同じ形状を有するダブテール溝が凹設され、底端両側には２つの位置決め溝が凹設された構造を有し、互いに嵌合することにより組み合せ可能な構造を有することを特徴とする容器ボトルが提供される。